(57)【要約】【課題】口元にパッキンを使用しなくても、防湿性の高い密封容器を得る。【解決手段】容器本体（１）とキャップ（２）とからなり、容器本体は、胴部（１１）、開口部、胴部上端から開口部にかけてキャップ嵌合部（１２）、キャップ嵌合部外周下方に凸状の係止リング（１２２）を有し、キャップはキャップ嵌合部を覆うキャップ筒状部（２１）と、キャップ筒状部上端から内側に張り出した天板と、天板内側でキャップ嵌合部に平行なインナーリング（２３）と、を有する容器であって、キャップ筒状部下方内面全周が凹部で形成され前記係止リングと係止可能な係止嵌合部（２１１）を有し、係止嵌合部上方において、キャップ筒状部内面とインナーリング外面とが、それぞれ、少なくとも１箇所ずつ、全周状に当接可能な当接嵌合部を有することを特徴とする密封容器。【選択図】図３
2018203350.tif 000002
【特許請求の範囲】
【請求項１】
容器本体とキャップとからなり、
容器本体は、下方に胴部、上方に開口部、胴部上端から開口部先端にかけてキャップ嵌合部を有し、
キャップ嵌合部は、外周下方に凸状に形成された係止リングを有し、
キャップはキャップ嵌合部を覆うキャップ筒状部と、
キャップ筒状部上端から内側に張り出した天板と、
天板内側で上記キャップ筒状部に平行なインナーリングと、を有する容器であって、
キャップ筒状部下方内面全周が凹部で形成され前記係止リングと係止可能な係止嵌合部を有し、
上記係止嵌合部上方において、キャップ筒状部内面とインナーリング外面とが、それぞれ、少なくとも１箇所ずつ、全周状に当接可能な当接嵌合部を有することを特徴とする密封容器。
【請求項２】
容器本体上方に有するキャップ嵌合部の横断面が、円形、あるいは長円形状、あるいは４隅に曲線を有する多角形形状であることを特徴とする請求項１に記載の密封容器。
【請求項３】
キャップの天板にキャップ開口孔を有するキャップであって、
キャップ筒状部の上端外側端部に、ヒンジを介して開閉可能な上蓋を有し、
上蓋が、ヒンジ反対側に係止部と、キャップ開口孔に挿嵌可能な上蓋インナーリングと、を有することを特徴とする請求項１又は２に記載の密封容器。
【発明の詳細な説明】
【技術分野】
【０００１】
本発明は、開口部が大きな広口容器本体とそれに使用するキャップとからなる密封容器に関する。
【背景技術】
【０００２】
湿気を嫌う煎餅やビスケット、海苔、昆布などの食品や、各種の錠剤などの薬剤については、密封性の高い容器に入れて、容器と共に販売する方法が採られる。
この、内容物と共に提供される容器は、従来、開口部と胴部とからなるボトル形態の容器本体に対して、開口部に嵌めるキャップとの嵌合において、密封性を高めることが必要である。
特に、包装袋のような、内容物を一度に開封して使いきるのではなく、必要に応じて度々内容物を取り出すには、使用する都度開封し、取り出し後、密封性が高いキャップを閉めることができるボトルが必要で、再封鎖後にも、高い密封性を有する容器にすることによって、内容物の劣化を防止することで対応していた。
このような、密封性が高い容器にするには、容器本体の開口部先端に当接するキャップの嵌合当接部近傍に、軟質のパッキンや押圧変形可能なシールなどを貼る方法が一般的である。
【０００３】
この為、パッキンが外れたりしないように、キャップにパッキン等を粘着剤やホットメルト接着剤で固定したりする工程が必要になり、単一素材ではなくなると共に、高価になってしまう問題があった。
【０００４】
以上の問題に対し、特許文献１ではキャップ天面内側に、板状のパッキンを嵌入し、パッキンの周縁部下面に、容器注出口先端当接する当接面を設けている。このパッキンの周縁ではキャップと嵌合する嵌合部を設けて、キャップ開封時にも、パッキンがキャップに残る仕組みを提案している。
【０００５】
しかしながら、剛性を要求されるキャップと、弾性を要求されるパッキンは、素材的に変更せざるを得ず、やはり、廃棄する場合に単一素材ではなくなり、分別が必要となる。さらに、広口の容器にする場合、口元をそのままブローピンで成形しようとすると、ブロー比が小さくなり過ぎて、安定した生産ができない。
この場合、図２で示すように、容器口先に、雫状の袋１４を成形する。ロータリーブロー成形では常に図２のような袋１４を加えた形状の金型に挟み、袋１４部分にブローピン３１を刺して圧縮空気等をブローする。
同じように、ダイレクト（レシプロ）ブロー成形でも、図４で示すように、広口のボトルでは、同じような袋１４を加えた形状にして成形し、後加工で袋１４を削除する必要がある。
この袋と開口部との間は、カッター３２によって後加工で切断する。しかし、後加工であるが故に、開口部上端面の仕上げ精度を高く維持することができない。この為、単に単体のキャップを製造する精度を上げようとしても、密封性は向上しにくく、密封性を高く保つには、より弾性のある発泡ポリエチレンや両面にポリプロピレンを貼った厚いパッキンを必要とする問題があった。
【先行技術文献】
【特許文献】
【０００６】
【特許文献１】実用新案登録第２５６５５６９号公報
【発明の概要】
【発明が解決しようとする課題】
【０００７】
そこで、口元にパッキンを使用しなくても、防湿性の高い密封容器を提供することが本発明の課題である。
【課題を解決するための手段】
【０００８】
本発明の密封容器は、容器本体とキャップとからなり、
容器本体は、下方に胴部、上方に開口部、胴部上端から開口部先端にかけてキャップ嵌合部を有し、
キャップ嵌合部は、外周下方に凸状に形成された係止リングを有し、
キャップはキャップ嵌合部を覆うキャップ筒状部と、
キャップ筒状部上端から内側に張り出した天板と、
天板内側で上記キャップ筒状部に平行なインナーリングと、を有する容器であって、
キャップ筒状部下方内面全周が凹部で形成され前記係止リングと係止可能な係止嵌合部を有し、
上記係止嵌合部上方において、キャップ筒状部内面とインナーリング外面とが、それぞれ、少なくとも１箇所ずつ、全周状に当接可能な当接嵌合部を有することを特徴とする密封容器である。
【発明の効果】
【０００９】
本発明の密封容器は、パッキンを用いず、キャップと容器本体の形状によって高い密封性を確保することができる。
容器本体の開口部先端に当接して密封性を得るのではなく、開口部先端から下方のキャップ嵌合部の側面と、キャップ筒状部内側とインナーリング外側の間で当接、あるいは嵌合して、密封する。このことによって、容器本体の開口部上端仕上げ精度を高くしなくても、高い密封性が維持可能であると共に、パッキンやホットメルト材などの異種材料を用いる必要もなく、価格を低く抑えることができる。
【図面の簡単な説明】
【００１０】
【図１】本発明の密封容器で、そのキャップを嵌合した状態を示す斜視図と、キャップの上蓋を開口した状態を示す斜視図である。
【図２】広口の容器本体を、ロータリーブロー成形する形態を示す縦断面図である。
【図３】本発明の密封容器で、その容器本体にキャップを嵌合した状態を示す口元近傍の縦断面図で、上蓋を閉じた状態の断面図と、キャップの上蓋を開口した状態を示す断面図である。
【図４】広口の容器本体を、ダイレクトブロー成形する形態を示す縦断面図である。
【発明を実施するための形態】
【００１１】
以下、本発明の密封容器について、図を用いて詳細に説明する。
図１は、本発明の密封容器で、図１−１がキャップを容器本体に嵌合した状態を示す斜視図。図１−２が容器本体に嵌合したキャップの上蓋を開口した状態を示す斜視図である。この図で示すように、広口の容器は、開口部の径に対する胴部の径の比であるブロー比が１．５倍未満になりやすい。
このような広口容器は、そのままの形状でダイレクトブロー成形すると、パリソンが非常に太くなる。このことは、押出パリソンをブロー金型で挟んだ時に、ブローピンを打ち込むまでの間、金型にパリソンを保持し続けることが出来ない。
さらに、ブローによって拡張される体積が少なく、容器の胴部が厚肉のまま金型に密着して圧接せざるを得ない為、容易に冷却され難く、表面がダレたり、部分的に冷却ムラが発生しやすいなど、成形は不安定である。
【００１２】
この為、図２や図４で示すように、袋１４を開口部１２１の先に形成し、後で袋１４をカッターで切り取る必要がある。
この為、容器本体の加工自体は変更できないので、開口部上端面の仕上げ精度を高く維持することができない点から、開口部上端面に当接するパッキンではなく、その側面側に当接する密封方法を採った。
【００１３】
図３は、本発明の密封容器で、その容器本体１にキャップ２を嵌合した状態を示す口元近傍の縦断面図である。
図３−１は上蓋を閉じた状態の断面図で、図３−２はその部分拡大図、図３−３はキャップの上蓋を開口した状態を示す断面図である。
本発明の密封容器は、容器本体１とキャップ２からなり、パッキンは使用しない。
【００１４】
容器本体１は、下方に胴部１１、上方に開口部１２１を有し、胴部上端から開口部先端にかけてキャップ嵌合部１２を有している。
容器本体１のキャップ嵌合部１２は、下方外周に凸状に形成された係止リング１２２と、係止リング１２２より上方外周に凸状に形成された外シールリング１２３と、内側の内周に凸状に形成された内シールリング１２４との少なくとも３つの凸状に形成されたリングを有している。
【００１５】
また、キャップ２は、容器本体１の開口部１２１とキャップ嵌合部１２外周を覆うキャップ筒状部２１を有し、キャップ筒状部上端から内側に天板２２を有している。
天板２２内側に、キャップ筒状部２１に平行してキャップ嵌合部１２内側に挿嵌可能なインナーリング２３を有している。
また、キャップ筒状部２１下方内面全周に、キャップ嵌合部１２と係止可能な並行した帯状の凹部２１１１と凸部２１１２とからなる係止嵌合部２１１を有している。
【００１６】
容器本体１にキャップ２を嵌合させると、容器本体１のキャップ嵌合部１２が、キャップ筒状部２１とインナーリング２３との隙間に挿嵌する。
この時、キャップ筒状部２１の上方内面２１３に対し外シールリング１２３が当接し、
インナーリング２３外面に内シールリング１２４が当接する。
さらに、深く挿嵌すると、係止リング１２２が係止嵌合部２１１の帯状に形成された凸部２１１２を乗り越える。そして、帯状に形成された凹部２１１１に係止リング１２２が挿嵌する。
【００１７】
このようにして、キャップ筒状部２１上方内面２１３と容器本体のキャップ嵌合部１２、インナーリング２３外面と容器本体のキャップ嵌合部１２、および、凹部２１１１と係止リング１２２が、それぞれ、１箇所ずつ、全周状に当接し、合わせて側面方向の３箇所において、全周で当接するので、確実に密封することができる。
【００１８】
本発明の密封容器に使用する容器本体は、通常、押し出したポリエチレン樹脂などのパリソンをブロー成形し、開口部を切断して開口して製造することができる。特にロータリーブロー成形機で製造できるが、レシプロタイプのダイレクトブロー成形機でも製造可能である。
開口部は、キャップに挿嵌するために、ブロー成形した後に、仕上げた容器を使用することが出来るが、小口径の容器本体であっても使用可能である。
もちろん、ポリアミドなどを積層した多層押し出しパリソンを使用し、多層容器にしてもかまわない。
さらに、内シールリングの位置を調整すれば、口元を射出成形したインジェクションブロー成形、延伸ブロー成形、液体反応性樹脂を使用した浸漬成形法（ディッピング法）による容器本体であっても使用できる。
成形材料は、ポリエチレン、ポリプロピレン、エチレン・プロピレン共重合体、エチレン・酢酸ビニル共重合体、アクリロニトリル、ブタジエンなどを共重合させたスチレン、ポリエチレンテレフタレート、ポリフェニレンサイファイド、ポリカーボネート、なども使用できる。
【００１９】
本発明の密封容器に使用するキャップは、汎用の射出成形機によって製造することができる。
また、本発明の密封容器は打栓式のキャップになるので、図１に示すような、キャップ嵌合部の横断面が円形である必要は無く、長円形状、あるいは４隅に曲線を有する多角形形状であっても、横断面形状が全周で外側に凸状の形状であれば、どのような形状であっても対応できる。
ただ、横断面が円形でない場合、開栓しにくくなるので、側壁であるキャップ筒状部の肉厚を薄くするか、直鎖状低密度ポリエチレンなどのような柔軟性のある素材で成形したキャップにすることが好ましい。
【００２０】
さらに、本発明の密封容器に使用するキャップは、係止リング１２２や係止嵌合部２１１の形状によっては、容器本体から外し難くなるので、通常の内容物を取り出すには、図３のように、キャップの天板にキャップ開口孔２４を設け、キャップ筒状部の上端外側端部に、ヒンジ２６を介して開閉可能な上蓋２５を有するキャップが好ましい。
この上蓋２５には、開閉し易いように、ヒンジ反対側に係止部２７と、開口用鍔２８と、キャップ開口孔に挿嵌可能な上蓋インナーリング２９と、を設けると良い。
【００２１】
キャップに使用される成形材料は、高密度ポリエチレン、直鎖状低密度ポリエチレン、ポリプロピレン、エチレン・プロピレン共重合体、エチレン・酢酸ビニル共重合体、アクリロニトリル・ブタジエン・スチレン共重合体、アクリロニトリル・スチレン共重合体、ブタジエン・スチレン共重合体、アクリロニトリル、ポリメチルペンテン、ポリオキシメチレンなどが使用できる。特にヒンジを介して回動可能な上蓋を有するキャップにするにはポリプロピレンやエチレン・プロピレン共重合体が好ましい。
【００２２】
本発明の密封容器は、以上のようなもので、キャップ嵌合部とキャップとの間の全周囲３箇所で当接するので、パッキンを用いないにもかかわらず、キャップと容器本体の形状によって高い密封性を確保することができる。
しかも、容器本体の開口部先端に当接して密封性を得るのではなく、開口部先端から下方のキャップ嵌合部の側面と、キャップ筒状部内側とインナーリング外側の間で当接、あるいは嵌合して、密封する。このことによって、容器本体の開口部上端仕上げ精度が高くなくても、高い密封性が維持可能である。それと共に、パッキンやホットメルト材などの異種材料を用いる必要もないので、単一素材となり、低価格で量産性も高いなど、本発明のメリットは大きい。
【符号の説明】
【００２３】
１・・・・・・・・・容器本体
１１・・・・・・・・胴部
１２・・・・・・・・キャップ嵌合部
１２１・・・・・・・開口部
１２２・・・・・・・係止リング
１２３・・・・・・・外シールリング
１２４・・・・・・・内シールリング
１４・・・・・・・・袋
２・・・・・・・・・キャップ
２１・・・・・・・・キャップ筒状部
２１１・・・・・・・係止嵌合部
２１１１・・・・・・凹部
２１１２・・・・・・凸部
２１３・・・・・・・上方内面
２２・・・・・・・・天板
２３・・・・・・・・インナーリング
２４・・・・・・・・キャップ開口孔
２５・・・・・・・・上蓋
２６・・・・・・・・ヒンジ
２７・・・・・・・・係止部
２８・・・・・・・・開口用鍔
２９・・・・・・・・上蓋インナーリング
３１・・・・・・・・ブローピン
３２・・・・・・・・カッター
【図１】
2018203350.tif 000003
【図２】
2018203350.tif 000004
【図３】
2018203350.tif 000005
【図４】
2018203350.tif 000006